(57)【特許請求の範囲】
【請求項１】
移動走行を伴う情報表示処理装置と、該情報表示処理装置に接続される外部端末とから構成される情報表示処理システムであって、
前記外部端末は、
アプリケーションを実行する第１アプリ実行部と、
前記情報表示処理装置からの出力情報の要否を指示する出力指示を、該情報表示処理装置から受信する出力指示受信部と、
前記情報表示処理装置で表示されている映像の生成アプリケーションの所在と該映像の表示条件とを、表示状態として受信する表示状態受信部と、
前記情報表示処理装置の移動走行状態を受信する走行状態受信部と、
前記表示状態と前記移動走行状態とに基づいて、前記第１アプリ実行部で実行されるアプリケーションの種類及び／または前記アプリケーションの表示条件を決定して制御する第１アプリ選択制御部と、
前記第１アプリ実行部で実行されるアプリケーションが出力する映像信号と、該第１アプリ選択制御部が決定するアプリケーションの種類及び表示条件とを、前記出力指示受信部が受信した出力指示に基づいて、前記情報表示処理装置へ送信または停止する第１出力制御部とを備え、
前記情報表示処理装置は、
移動走行状態を判定する走行状態判定部と、
アプリケーションを実行する第２アプリ実行部と、
前記移動走行状態に基づいて、前記第２アプリ実行部で実行されるアプリケーションの種類及び／または前記アプリケーションの表示条件を決定して制御する第２アプリ選択制御部と、
前記外部端末から出力されたアプリケーションの種類及び表示条件と、前記第２アプリ選択制御部が決定したアプリケーションの種類及び表示条件と、前記走行状態判定部が判定した移動走行状態とに基づいて、前記外部端末と前記第２アプリ実行部との何れのアプリケーションを表示出力するかを選択し、選択されたアプリケーションを出力する第２出力制御部と、
前記第２出力制御部が選択したアプリケーションの種類と、前記走行状態判定部が判定した移動走行状態とに基づいて、前記外部端末からの出力情報の要否を指示する出力指示を決定し、決定された出力指示を前記外部端末へ送信する出力指示送信部と、
前記第２出力制御部が表示出力を行う映像の生成アプリケーションの所在と前記映像の表示条件とを、表示状態として前記外部端末へ送信する表示状態送信部と、
前記走行状態判定部が判定した移動走行状態を前記外部端末へ送信する走行状態送信部と、
を備える情報表示処理システム。
【請求項２】
前記情報表示処理装置において、
前記出力指示送信部は、前記第２出力制御部が前記第２アプリ実行部のアプリケーションを表示出力しているとき、前記外部端末に対して出力が必要な旨を指示する出力指示を、該外部端末へ送信する、請求項１に記載の情報表示処理システム。
【請求項３】
前記外部端末において、
前記第１アプリ選択制御部は、前記第１アプリ実行部で実行されるアプリケーションの表示条件を、前記情報表示処理装置で表示されている映像の表示条件とは異なる表示条件で決定する、請求項１に記載の情報表示処理システム。
【請求項４】
自己の移動走行状態に応じて、走行規制の不要な外部端末に対してアプリケーションの表示切替えを行わせる情報表示処理装置であって、
前記移動走行状態を判定する走行状態判定部と、
アプリケーションを実行する第２アプリ実行部と、
前記移動走行状態に基づいて、前記第２アプリ実行部で実行されるアプリケーションの種類及び／または前記アプリケーションの表示条件を決定して制御する第２アプリ選択制御部と、
前記外部端末から出力されたアプリケーションの種類及び表示条件と、前記第２アプリ選択制御部が決定したアプリケーションの種類及び表示条件と、前記走行状態判定部が判定した移動走行状態とに基づいて、前記外部端末と前記第２アプリ実行部との何れのアプリケーションを表示出力するかを選択し、選択されたアプリケーションを出力する第２出力制御部と、
前記第２出力制御部が選択したアプリケーションの種類と、前記走行状態判定部が判定した移動走行状態とに基づいて、前記外部端末からの出力情報の要否を指示する出力指示を決定し、決定された出力指示を前記外部端末へ送信する出力指示送信部と、
前記第２出力制御部が表示出力を行う映像の生成アプリケーションの所在と前記映像の表示条件とを、表示状態として前記外部端末へ送信する表示状態送信部と、
前記走行状態判定部が判定した移動走行状態を前記外部端末へ送信する走行状態送信部と、
を備える情報表示処理装置。
【請求項５】
前記出力指示送信部は、前記第２出力制御部が前記第２アプリ実行部のアプリケーションを表示出力しているとき、前記外部端末に対して出力が必要な旨を指示する出力指示を、該外部端末へ送信することを特徴とする請求項４に記載の情報表示処理装置。
【請求項６】
移動走行を伴う情報表示処理装置に接続され、該情報表示処理装置の移動走行状態に応じてアプリケーションの表示切替えを行う外部端末であって、
アプリケーションを実行する第１アプリ実行部と、
前記情報表示処理装置からの出力情報の要否を指示する出力指示を、該情報表示処理装置から受信する出力指示受信部と、
前記情報表示処理装置で表示されている映像の生成アプリケーションの所在と該映像の表示条件とを、表示状態として受信する表示状態受信部と、
前記情報表示処理装置の移動走行状態を受信する走行状態受信部と、
前記表示状態と前記移動走行状態とに基づいて、前記第１アプリ実行部で実行されるアプリケーションの種類及び／または前記アプリケーションの表示条件を決定して制御する第１アプリ選択制御部と、
前記第１アプリ実行部で実行されるアプリケーションが出力する映像信号と、該第１アプリ選択制御部が決定するアプリケーションの種類及び表示条件とを、前記出力指示受信部が受信した出力指示に基づいて、前記情報表示処理装置へ送信または停止する第１出力制御部と、
を備える外部端末。
【請求項７】
前記第１アプリ選択制御部は、前記第１アプリ実行部で実行されるアプリケーションの表示条件を、前記情報表示処理装置で表示されている映像の表示条件とは異なる表示条件で決定する、請求項６に記載の外部端末。
【発明の詳細な説明】
【技術分野】
【０００１】
本発明は、情報表示処理装置における情報と、該情報表示処理装置に接続された外部端末における情報とを切り替えて、表示装置に表示するように処理を行う情報表示処理システム、及びこの情報表示処理システムを構成する情報表示処理装置と外部端末に関する。
【背景技術】
【０００２】
例えば、特許文献１には、自動車（以下、車両と言う）に搭載される情報表示処理装置に携帯電話や携帯情報端末などの外部端末を接続し、外部端末からの視覚的情報を情報表示処理装置に表示する技術が開示されている。この技術によれば、情報表示処理装置は、外部端末を接続して画面データを表示する場合に、自車両の走行状態を判定し、外部端末から取得した画面データが示す情報種別を識別し、走行状態と情報種別とに基づいて画面データの表示態様を制御している。一例として、情報表示処理装置は、車両が停止中のときは、外部端末の画面データを全画面に表示し、走行中など停止中以外のときは、交通情報であるか動画であるかなどの内容に応じて、小画面で表示したり表示を止めたりしている。これにより、情報表示処理装置は、運転中の乗車者に対して情報を把握しやすいように提供することができる。
【０００３】
また、非特許文献１には、外部端末からの視覚的情報を情報表示処理装置に表示する方式の一例が開示されている。この技術によれば、ＲＦＢ（Remote FrameBuffer）プロトコルが、情報表示処理装置から表示要求“FrameBufferUpdateRequest”を送信し、外部端末から視覚的情報“FrameBufferUpdate”を取得して表示することにより、情報表示処理装置は、外部端末からの視覚的情報を表示することができる。なお、この方式は、パーソナルコンピュータ等で応用されているほか、近年では車載機器にも応用され始めている。
【先行技術文献】
【特許文献】
【０００４】
【特許文献１】特開２００９−２８１９９１号公報
【非特許文献】
【０００５】
【非特許文献１】Tristan Richardson, “The RFB Protocol”, RealVNC Ltd, Version 3.8, August 28, 2008. (http://www.realvnc.com/docs/rfbproto.pdf)
【発明の概要】
【発明が解決しようとする課題】
【０００６】
しかしながら、前記特許文献１及び非特許文献１の技術を含めた従来の情報表示処理装置においては、車両が停止中から走行を開始することにより、表示装置の画面が小画面になったり表示が止まったりするなど、表示される情報が変動または減少するという課題がある。それを解決するためには、例えば、情報表示処理装置が、車両の停止中に動画を表示していた場合は、走行開始に伴って、動画表示を停止するのと同時にナビゲーションの簡略表示に変えるなど、表示可能な別のアプリケーションに切り替えることにより、可能な限り有用な情報を情報表示処理装置に表示することが望ましい。ところが、これまでの技術では、情報表示処理装置が、車両の停止／走行状態に応じて最適な画面に切り替えるような技術は確立されていない。
【０００７】
また、情報表示処理装置が、表示可能な別のアプリケーションに切り替える際に、ＲＦＢプロトコルを使用して車載端末のアプリケーションから外部端末のアプリケーションに表示を切り替える場合は、外部端末のアプリケーションに表示を切り替える時点で表示要求を送信した後に、通信手段を経由して視覚的情報を取得することになる。そのため、情報表示処理装置が、実際に情報を表示できるまでには、かなりの遅延が生じてしまうので、その間は情報表示処理装置に何も表示されない時間帯が生じるという課題もある。
【０００８】
本発明はこのような問題点に鑑みてなされたものであり、車両の走行開始に伴い、接続された外部端末のアプリケーション表示に遅延なく切り替えることができる情報表示処理装置を提供することを目的とする。
【課題を解決するための手段】
【０００９】
上記目的を達成するため、本発明に係る情報表示処理システムは以下のように構成されている。すなわち、本発明の情報表示処理システムは、移動走行を伴う情報表示処理装置と、該情報表示処理装置に接続される外部端末とから構成される情報表示処理システムであって、前記外部端末は、アプリケーションを実行する第１アプリ実行部と、前記情報表示処理装置からの出力情報の要否を指示する出力指示を、該情報表示処理装置から受信する出力指示受信部と、前記情報表示処理装置で表示されている映像の生成アプリケーションの所在と該映像の表示条件とを、表示状態として受信する表示状態受信部と、前記情報表示処理装置の移動走行状態を受信する走行状態受信部と、前記表示状態と前記移動走行状態とに基づいて、前記第１アプリ実行部で実行されるアプリケーションの種類及び／または前記アプリケーションの表示条件を決定して制御する第１アプリ選択制御部と、前記第１アプリ実行部で実行されるアプリケーションが出力する映像信号と、該第１アプリ選択制御部が決定するアプリケーションの種類及び表示条件とを、前記出力指示受信部が受信した出力指示に基づいて、前記情報表示処理装置へ送信または停止する第１出力制御部とを備え、前記情報表示処理装置は、移動走行状態を判定する走行状態判定部と、アプリケーションを実行する第２アプリ実行部と、前記移動走行状態に基づいて、前記第２アプリ実行部で実行されるアプリケーションの種類及び／または前記アプリケーションの表示条件を決定して制御する第２アプリ選択制御部と、前記外部端末から出力されたアプリケーションの種類及び表示条件と、前記第２アプリ選択制御部が決定したアプリケーションの種類及び表示条件と、前記走行状態判定部が判定した移動走行状態とに基づいて、前記外部端末と前記第２アプリ実行部との何れのアプリケーションを表示出力するかを選択し、選択されたアプリケーションを出力する第２出力制御部と、前記第２出力制御部が選択したアプリケーションの種類と、前記走行状態判定部が判定した移動走行状態とに基づいて、前記外部端末からの出力情報の要否を指示する出力指示を決定し、決定された出力指示を前記外部端末へ送信する出力指示送信部と、前記第２出力制御部が表示出力を行う映像の生成アプリケーションの所在と前記映像の表示条件とを、表示状態として前記外部端末へ送信する表示状態送信部と、前記走行状態判定部が判定した移動走行状態を前記外部端末へ送信する走行状態送信部と、を備える構成を採る。
【発明の効果】
【００１０】
本発明によれば、外部端末（携帯端末）の第１アプリ選択制御部が、情報表示処理装置（車載端末）で表示されている映像の生成アプリケーションの所在と、前記映像の表示条件と、情報表示処理装置の移動走行状態とに基づいて、外部端末の第１アプリ実行部で実行されるアプリケーションの種類及び／または前記アプリケーションの表示条件を決定して制御している。また、情報表示処理装置の第２出力制御部が、外部端末から出力されるアプリケーションの種類及び表示条件と、第２アプリ選択制御部が決定するアプリケーションの種類及び表示条件と、走行状態判定部が判定する移動走行状態とに基づいて、前記外部端末と前記第２アプリ実行部の何れのアプリケーションを表示出力するかを選択して出力している。これにより、走行状態が変化して外部端末のアプリケーションに表示が切り替えられる際には、情報表示処理装置は、受信済みまたは受信中の出力を用いて、走行状態に合った表示条件で表示を遅延なく切り替えることができる。
【図面の簡単な説明】
【００１１】
【図１】本発明の一実施の形態における情報表示処理システムの構成を示すブロック図
【図２】本発明の一実施の形態におけるアプリケーションの表示条件を説明する図
【図３】本発明の一実施の形態における車載端末の走行状態判定部が行う処理の流れを示すフローチャート
【図４】本発明の一実施の形態における車載端末のアプリ選択制御部が行う処理の流れを示すフローチャート
【図５】本発明の一実施の形態における携帯端末のアプリ選択制御部が行う処理の流れを示すフローチャート
【図６】本発明の一実施の形態における車載端末の出力制御部が行う処理の流れを示すフローチャート
【図７】図６のステップＳ６２０における出力アプリケーションの選択の仕方を詳細に示すフローチャート
【図８】図６のステップＳ６３０における携帯端末への出力指示の判断の仕方を詳細に示すフローチャート
【図９】本発明の一実施の形態における情報表示処理システムの動作の一例を説明する図
【図１０】比較例として本発明の一実施の形態を適用しない一般的な情報表示処理システムの動作の一例を説明する図
【発明を実施するための形態】
【００１２】
以下、本発明の一実施の形態における情報表示処理システムについて、図面を参照しながら詳細に説明する。なお、一実施の形態を説明するための全図において、同一要素は原則として同一の符号を付し、また重複する内容の繰り返し説明は省略する。
【００１３】
図１は、本発明の一実施の形態における情報表示処理システムの構成を示すブロック図である。図１に示すように、車載端末１００は、自動車（以下、車両と言う）に搭載する端末装置であって、アプリ実行部１１０と、アプリ選択制御部１２０と、表示装置１８０と、スピーカ１８５と、出力制御部１３０と、出力指示送信部１４０と、走行状態判定部１５０と、通信部１９０と、走行状態送信部１６０と、表示状態送信部１７０と、を備える。
【００１４】
車載端末１００における、アプリ実行部１１０、アプリ選択制御部１２０、出力制御部１３０及び走行状態判定部１５０は、例えば、ＣＰＵ、ＲＯＭ及びＲＡＭなどによって実現される。ＣＰＵは、ＲＯＭに格納されたコンピュータプログラムを、ＲＡＭを作業領域として使いながら実行する。また、アプリ実行部１１０、アプリ選択制御部１２０、出力制御部１３０、及び走行状態判定部１５０は、同一のＣＰＵ上で動作するようにしてもよい。
【００１５】
車載端末１００は、車両状態検出装置３００と接続される。車両状態検出装置３００は、一例として、車両の走行速度を検出する車速センサや、車両のブレーキの作動状況を検出するブレーキセンサなどを備える。車載端末１００の走行状態判定部１５０は、車両状態検出装置３００が検出した車両の状態に基づいて、車両の走行状態を判定する。車両の走行状態の一例としては、車両が走行中／停止中といった状態が挙げられる。また、走行状態判定部１５０は、車両の走行中を高速走行中と低速走行中とに分け、車両の停止中も一時停止中と駐車中とに分けて、それぞれ詳細に車両の走行状態を分類して抽出してもよい。なお、走行状態判定部１５０が抽出した車両の走行状態は、出力制御部１３０を介して走行状態送信部１６０に入力される。
【００１６】
図３は、本発明の一実施の形態における車載端末１００の走行状態判定部１５０が行う処理の流れを示すフローチャートである。したがって、図３のフローチャートを用いて、走行状態判定部１５０が行う処理について詳細に説明する。
【００１７】
図３において、車載端末１００の走行状態判定部１５０は、車両状態検出装置３００が検出した車両の状態に基づいて該車両の走行状態を判定する（ステップＳ３１０）。走行状態の判定の一例としては、走行状態判定部１５０は、車両状態検出装置３００から出力される車速センサ及びブレーキセンサの検出結果を用いて、一定速度（例えば、時速１０キロメートル毎時）以下であって、ブレーキ操作をしていれば、停止中と判定し、ブレーキ操作をしていなければ、走行中と判定することができる。なお、ブレーキセンサがパーキングブレーキの操作を検出して駐車中の判断を行ってもよい。
【００１８】
このようにして走行状態を判定した結果、走行状態判定部１５０は、前回の判定から走行状態が変化したか否かを検出する（ステップＳ３２０）。ここで、走行状態が変化していれば、走行状態判定部１５０は、変化した走行状態をアプリ選択制御部１２０及び出力制御部１３０へ出力する（ステップＳ３３０）。走行状態判定部１５０による走行状態の出力は、走行状態が変化した時だけでなく、例えば、前回の走行状態の出力から一定時間（例えば、５秒間）が経過した後の走行状態の出力を行ってもよい。走行状態判定部１５０は、このような走行状態の出力操作の終了指示があるまで走行状態の出力を繰り返す（ステップＳ３４０）。
【００１９】
また、走行状態送信部１６０は、走行状態判定部１５０が抽出した車両の走行状態を、通信部１９０を経由して携帯端末２００（請求項１の外部端末）へ送信する。また、アプリ実行部（第２アプリ実行部）１１０は、車載端末１００へアプリケーションを提供する。車載端末１００のアプリ実行部１１０が提供するアプリケーションの一例としては、ナビゲーション（ナビ）１１１、ビデオ再生１１２、及び音楽再生１１３などがあるが、アプリケーションの種類はこれらに限定されるものではない。
【００２０】
なお、アプリ実行部１１０が提供するアプリケーションは、アプリケーションソフトウェアとして、アプリ実行部１１０の単一のＣＰＵ上で動作してもよいし、ナビ１１１、ビデオ再生１１２、及び音楽再生１１３の一部または全てのアプリケーションが、それぞれ、ハードウェアユニットとしてアプリ実行部１１０に接続されていてもよい。アプリ実行部１１０で実行されるアプリケーションの映像出力及び音声出力は、それぞれ、出力制御部１３０へ入力される。
【００２１】
車載端末１００のアプリ選択制御部１２０は、走行状態判定部１５０が判定した走行状態に応じて、アプリ実行部１１０で実行するアプリケーション及びその実行状態を制御する。このアプリ選択制御部１２０は、アプリ実行部１１０で実行中のアプリケーションの種類と表示条件とを管理する。アプリケーションの種類は、例えば、ナビ１１１、ビデオ再生１１２、または音楽再生１１３のいずれのアプリケーションが実行中かを示す。また、実行中のアプリケーションの表示条件は、実行中のアプリケーションが、例えば、車両の走行中に表示可能な表示出力であるか、車両が停止中でなければ表示できない表示出力であるかを示す。このような表示条件は、例えば、低速走行中の表示の可否、高速走行中の表示の可否をさらに示してもよい。
【００２２】
また、アプリ選択制御部１２０は、走行状態判定部１５０が判定した走行状態と、実行中のアプリケーションの表示条件とが一致しているか否かを判断する。そして、走行状態と実行中のアプリケーションの表示条件とが一致していなければ、アプリ選択制御部１２０は、表示条件に一致した表示出力を、実行中のアプリケーションまたは他のアプリケーションが行うように、アプリケーションの選択制御を行う。そして、アプリ選択制御部１２０は、実行中のアプリケーションの種類と表示条件とを出力制御部１３０へ入力する。
【００２３】
図４は、本発明の一実施の形態における車載端末１００のアプリ選択制御部１２０が行う処理の流れを示すフローチャートである。したがって、図４のフローチャートを用いて、アプリ選択制御部１２０が行う処理について詳細に説明する。車載端末１００のアプリ選択制御部１２０は、走行状態判定部１５０が出力する走行状態を、前回取得した走行状態と比較する（ステップＳ４１０）。ここで、前回取得した走行状態から変化している場合は（ステップＳ４１０でＹｅｓ）、アプリ選択制御部１２０は、アプリ実行部１１０で実行されるアプリケーションまたはその表示条件を変更する。
【００２４】
ここで、アプリ選択制御部１２０は、走行状態ごとにアプリケーションが設定されているか否かを判定し（ステップＳ４２０）、走行状態ごとにアプリケーションが設定されている場合は（ステップＳ４２０でＹｅｓ）、アプリ選択制御部１２０は、走行状態に対応して設定されているアプリケーションに実行を切り替えるように、アプリ実行部１１０へ指示する（ステップＳ４３０）。例えば、走行状態が「走行中」のときは、アプリ選択制御部１２０は、必ず「音楽再生アプリケーション」を実行するような設定を行うことができる。
【００２５】
一方、走行状態ごとにアプリケーションが設定されていない場合は（ステップＳ４２０でＮｏ）、アプリ選択制御部１２０は、実行中のアプリケーションの表示条件を変更するようにアプリ実行部１１０に指示する（ステップＳ４４０）。そして、アプリ選択制御部１２０は、変更後のアプリケーションの種類とその表示条件を出力制御部１３０へ出力する（ステップＳ４５０）。アプリ選択制御部１２０は、このような操作を終了指示があるまで繰り返す（ステップＳ４６０）。
【００２６】
図２は、本発明の一実施の形態におけるアプリケーションの表示条件を説明する図である。したがって、図２を参照して、アプリケーションの表示条件の変更について説明する。なお、図２は、時間軸ｔが図の左から右の方向に進行するにしたがって、走行状態２０１０が停止中２０１１から走行中２０１２へ、さらに停止中２０１３へと変化することを示している。なお、アプリケーションの一例としては、ナビゲーション（ナビ）２０３０、ビデオ再生２０４０、及び音楽再生２０５０の３つを挙げている。
【００２７】
アプリケーションの車載端末１００の表示については、特に車両の走行中には、視認性を高めるためにわかりやすい簡略画面を表示することが望ましい。そのため、車両の走行状態が走行中２０１２のときは、アプリケーションの「表示条件」２０２０を「走行表示可」とし、走行中に表示してよい画面のみを表示することができる。また、車両の走行状態が停止中２０１１、２０１３のときは、アプリケーションの「表示条件」２０２０を「走行表示不可」とするが、車両の停止中は、走行中に表示できない画面を表示してもよいし、走行中に表示可能な画面を表示してもよい。図２では、表示条件２０２０が、走行状態の変化に伴い、走行表示不可、走行表示可、走行表示不可と変更されることを示している。
【００２８】
アプリケーションの表示切り替えの一例としては、ナビ２０３０を表示する場合は、文字が小さくて字数が多く、かつ地図に細い道路も表示されるような詳細表示は、表示条件２０２０を走行表示不可とする。また、文字が大きく字数も少なく、かつ地図に細い道路を表示しない簡略表示は、表示条件２０２０を走行表示可とする。
【００２９】
また、ビデオ再生２０４０の場合は、通常の動画映像の表示を走行表示不可とし、映像のタイトル表示を走行表示可とする。さらに、音楽再生２０５０の場合は、アルバム全ての曲名や歌手、演奏者などを数曲分表示する詳細タイトル表示を走行表示不可とし、演奏中の１曲のみについての簡易タイトル表示を走行表示可とする。なお、表示条件の種類や名称、またそれに対応する表示画面の構成は、法律や団体・メーカーなどの規則に基づいて決められるものとする。また、表示条件２０２０を「走行表示可」とする特定の画面が作成されない場合は、単色で何も表示されない無表示画面を「走行表示可」としてもよい。
【００３０】
再び図１に戻って、車載端末１００の出力制御部１３０は、アプリ選択制御部１２０が出力した、車載端末１００で実行中のアプリケーションの種類と表示条件、走行状態判定部１５０が出力した車両の走行状態、及び通信部１９０が受信した携帯端末２００で実行中のアプリケーションの種類と表示条件とに基づいて、アプリ実行部１１０で実行されるアプリケーションの映像出力及び音声出力と、通信部１９０が受信した携帯端末２００の映像出力及び音声出力とから、映像信号を表示装置１８０に、音声信号をスピーカ１８５に、それぞれ出力する。
【００３１】
車載端末１００の表示装置１８０は、液晶ディスプレイなどで実現され、出力制御部１３０が出力する映像信号に応じた映像を表示する。スピーカ１８５は、出力制御部１３０が出力する音声信号に応じた音声を再生する。出力する映像信号及び音声信号は、アプリ実行部１１０で実行されるアプリケーションの映像出力及び音声出力と、通信部１９０が受信した携帯端末２００の出力情報（映像出力及び音声出力）との、いずれか一方の映像出力及び音声出力によるものであってもよいし、双方の出力情報を混合した出力によるものであってもよい。
【００３２】
また、出力制御部１３０は、出力中のアプリケーションの属性と表示条件を、表示状態として表示状態送信部１７０へ出力する。なお、アプリケーションの属性は、アプリケーションが車載端末１００で実行されているか、携帯端末２００で実行されているかを示すものである。さらに、出力制御部１３０は、出力中のアプリケーションの属性と表示条件とに基づいて、携帯端末２００へ映像及び音声を出力させるか否かの出力指示情報を、出力指示送信部１４０へ出力する。また、出力制御部１３０は、携帯端末２００の映像及び音声の出力指示として、映像及び音声の出力の可否だけでなく、映像及び音声の出力方法を指示してもよい。例えば、出力制御部１３０は、映像出力のフレームレート（秒あたりのフレーム数）を出力指示してもよい。
【００３３】
図６は、本発明の一実施の形態における車載端末１００の出力制御部１３０が行う処理の流れを示すフローチャートである。したがって、図６のフローチャートを参照して、出力制御部１３０が行う処理について詳細に説明する。出力制御部１３０は、アプリ選択制御部１２０から車載端末１００上で動作するアプリケーションの種類とその表示条件を取得し、また通信部１９０から携帯端末２００上で動作するアプリケーションの種類とその表示条件を取得する。
【００３４】
このような前提条件において、出力制御部１３０は、走行状態判定部１５０が出力する走行状態が、前回取得した走行状態から変化しているか否かの比較を行う（ステップＳ６１０）。ここで、走行状態判定部１５０が出力する走行状態が、前回取得した走行状態から変化している場合は（ステップＳ６１０でＹｅｓ）、出力制御部１３０は、走行状態判定部１５０から取得した走行状態、車載端末１００で実行中のアプリケーションの種類と表示条件、及び携帯端末２００で実行中のアプリケーションの種類と表示条件に基づいて、映像信号を表示装置１８０へ出力し、音声信号をスピーカ１８５へ出力するアプリケーションを、車載端末１００と携帯端末２００とのいずれかから選択して取得する（ステップＳ６２０）。また、このとき、出力制御部１３０は、携帯端末２００にアプリケーションの出力を開始させるか停止させるかを判断する（ステップＳ６３０）。なお、携帯端末２００のアプリケーションの選択の仕方、及び携帯端末２００のアプリケーションの出力開始または停止の判断の仕方については後述する。
【００３５】
次に、ステップＳ６３０の携帯端末２００への出力指示の判断結果を受けて、出力制御部１３０は、必要に応じて、携帯端末２００に対して出力を開始するか停止するかの指示を、出力指示送信部１４０へ出力する（ステップＳ６４０）。さらに、出力制御部１３０は、走行状態判定部１５０から取得した走行状態を、走行状態送信部１６０へ出力する（ステップＳ６５０）。
【００３６】
そして、ステップＳ６２０で実行した出力するアプリケーションの選択結果を受けて、出力制御部１３０は、表示装置１８０及びスピーカ１８５へ、車載端末１００と携帯端末２００とのどちらのアプリケーションが表示されているかを示すアプリケーションの属性（車載端末か携帯端末か）と、表示条件（走行表示可か走行表示不可か）とを、表示状態送信部１７０へ出力する（ステップＳ６６０）。さらに、出力制御部１３０は、選択したアプリケーションの映像信号を表示装置１８０へ、音声信号をスピーカ１８５へ、それぞれ出力する（ステップＳ６７０）。出力制御部１３０は、以上のような操作を終了指示があるまで繰り返す（ステップＳ６８０）。
【００３７】
図７は、図６のステップＳ６２０における出力アプリケーションの選択の仕方を詳細に示すフローチャートである。したがって、図６のステップＳ６２０における出力制御部１３０が行うアプリケーションの選択のしかたについて、図７のフローチャートを参照して詳細に説明する。すなわち、図６のステップＳ６２０で行う、出力するアプリの選択処理では、出力制御部１３０が、アプリ選択制御部１２０から取得した車載アプリの種類、通信部１９０から取得した携帯アプリの種類、走行状態判定部１５０から取得した走行状態、及び出力制御部１３０が管理する走行状態に対応する表示優先度設定（優先度）の、各種情報を用いる（ステップＳ７１０）。
【００３８】
なお、出力制御部１３０が行う走行状態に対応する表示優先度設定の一例は、下記の表１に示す通りである。
【表１】
0005884082.tif 000002
【００３９】
すなわち、表１の走行状態に対応する表示優先度設定は、優先度のより高い（数値の小さい）アプリケーションを優先的に表示させることを示している。表１における表示優先度設定の場合は、例えば、車載端末１００と携帯端末２００とでそれぞれビデオ再生アプリケーションとナビゲーションアプリケーションとが実行されているとき、走行中は表示優先度のより高いナビゲーションのアプリケーションを表示させることを示している。また、表１では、走行中に表示するアプリケーションの表示優先度を示しているが、停止中など他の走行状態におけるアプリケーションの表示優先度を設定してもよい。
【００４０】
このような表示優先度は、利用者が任意に操作して設定できるようにしてもよいし、情報表示処理装置（車載端末１００）が固有の表示優先度設定を持っていてもよい。また、特に表示優先度設定がされていない場合は、表示操作の履歴により自動的に表示優先度を設定してもよい。例えば、走行状態が停止中のときにビデオ再生のアプリケーションを実行している場合は、停止中のビデオ再生のアプリケーションの表示優先度を最高にするように自動設定することもできる。これにより、走行状態が走行中となって他のアプリケーションに切り替えられても、走行状態が停止中に移行したときは、表示優先度を参照し自動的にビデオ再生に戻ることができる。
【００４１】
再び図７に戻って、出力制御部１３０は、走行状態に対応する表示優先度が設定されているか否かを確認する（ステップＳ７２０）。例えば、走行状態が走行中のときのみ表示優先度が設定されており、停止中のときの表示優先度が設定されていなければ（ステップＳ７２０でＮｏ）、出力制御部１３０は、停止中においては表示アプリの属性をそのままにする（ステップＳ７５０）。すなわち、表示中のアプリケーションが車載端末１００のアプリケーションであれば、出力制御部１３０は、そのまま車載端末１００のアプリケーションの表示を継続し、表示中のアプリケーションが携帯端末アプリケーションならばそのまま携帯端末アプリケーションの表示を継続する。
【００４２】
一方、走行状態に対応する表示優先度が設定されていれば（ステップＳ７２０でＹｅｓ）、出力制御部１３０は、表示中のアプリケーションの種類よりも表示優先度の高い種類のアプリケーションが実行されているか否かを確認する（ステップＳ７３０）。ここで、表示中のアプリケーションの種類よりも表示優先度の高い種類のアプリケーションが実行されていれば（ステップＳ７３０でＹｅｓ）、出力制御部１３０は、表示アプリケーションの属性を切り替える（ステップＳ７４０）。
【００４３】
一方、表示中のアプリケーションの種類よりも表示優先度の高い種類のアプリケーションが実行されていなければ（ステップＳ７３０でＮｏ）、出力制御部１３０は、表示アプリケーションの属性をそのままとする（ステップＳ７５０）。例えば、出力制御部１３０は、車載端末１００でビデオ再生のアプリケーションが実行され、携帯端末２００でナビゲーションのアプリケーションが実行され、かつ、停止中にビデオ再生のアプリケーションが表示される、というような制御を行う。
【００４４】
前述の表１における表示優先度の設定では、走行状態が走行中に変わったとき、表示中のビデオ再生のアプリケーションよりも表示優先度の高いナビゲーションのアプリケーションが携帯端末２００で実行されているので、ステップＳ７４０の処理に基づいて、出力制御部１３０は、表示アプリケーションの属性（表示元）を、車載端末１００のアプリケーション（ビデオ再生）から携帯端末２００のアプリケーション（ナビ）に切り替える。ここで、もし携帯端末２００で音楽再生のアプリケーションが実行されていれば、音楽再生のアプリケーションの表示優先度は、ビデオ再生のアプリケーションより低いので、出力制御部１３０は、ステップＳ７５０の処理に基づいて、表示状態をそのまま車載端末１００のアプリケーション（ビデオ再生）で継続させる。
【００４５】
次に、図６のステップＳ６３０における携帯端末２００への出力指示の判断の仕方について、図８のフローチャートを用いて詳細に説明する。図８は、図６のステップＳ６３０における携帯端末２００への出力指示の判断の仕方を詳細に示すフローチャートである。すなわち、図６におけるステップＳ６３０の携帯端末２００への出力指示の判断では、出力制御部１３０は、図６のステップＳ６２０で選択した出力アプリケーションの情報を用いる（ステップＳ８１０）。
【００４６】
そして、出力制御部１３０は、出力アプリケーションが車載端末１００のアプリケーションであるか、携帯端末２００のアプリケーションであるかを判断する（ステップＳ８２０）。ここで、出力アプリケーションが携帯端末２００のアプリケーションであれば（ステップＳ８２０でＮｏ）、出力制御部１３０は、そのアプリケーションを出力させる必要があるため、携帯端末２００に対して、通常レートで携帯アプリを出力するように指示する（ステップＳ８５０）。なお、映像信号の出力レートが指定可能であれば、出力制御部１３０は、表示のための通常レートでの出力を指示することが望ましい。
【００４７】
一方、出力アプリケーションが車載端末１００のアプリケーションであれば（ステップＳ８２０でＹｅｓ）、出力制御部１３０は、走行状態が停止中であるか否かを確認する（ステップＳ８３０）。ここで、走行状態が停止中でなければ走行中の状態であるので（ステップＳ８３０でＮｏ）、出力制御部１３０は、停止中に走行状態が変化しても携帯端末２００のアプリケーションへ遅延なく表示を切り替える必要性は低いため、携帯端末２００に出力停止を指示し、表示出力によって生じる通信路のデータ量を抑える（ステップＳ８７０）。
【００４８】
また、ステップＳ８３０において、走行状態が停止中であれば（ステップＳ８３０でＹｅｓ）、出力制御部１３０は、車載端末１００と携帯端末２００とでそれぞれ実行されているアプリケーションの表示優先度を比較する（ステップＳ８４０）。ここで、携帯端末２００のアプリケーションの表示優先度が、車載端末１００のアプリケーションの表示優先度より高い場合は（ステップＳ８４０でＹｅｓ）、車両が停止中から走行中に状態が変化したときに、表示中の車載端末１００のアプリケーションから、より表示優先度の高い携帯端末２００のアプリケーションに切り替える必要がある。
【００４９】
そこで、走行中に表示を切り替える際は、映像や詳細地図などの詳細画面を即時に見えなくする必要があるため、出力制御部１３０は、走行中に表示可能な低レートの携帯端末２００のアプリケーションを出力するように、停止中の時点から携帯端末２００に対して指示する（ステップＳ８６０）。これによって、詳細画面から走行表示可能な画面への即時切替が可能となる。例えば、映像信号の出力レートが指定可能であれば、出力制御部１３０が、表示よりも低いレートでの出力を送信するように、携帯端末２００へ指示することにより、表示出力による通信路のデータ量を抑えることができる。
【００５０】
また、ステップＳ８４０において、携帯端末２００のアプリケーションの表示優先度が車載端末１００のアプリケーションの表示優先度よりも低い場合は（ステップＳ８４０でＮｏ）、車両が停止中から走行中に状態変化したときに、表示中の車載端末１００のアプリケーションから携帯端末２００のアプリケーションへ切り替える必要がないため、出力制御部１３０は、携帯端末２００に出力停止を指示し、表示出力による通信路のデータ量を抑える（ステップＳ８７０）。
【００５１】
また、表示状態送信部１７０は、出力制御部１３０から受信した、出力中のアプリケーションの種類と表示条件を、表示状態として、通信部１９０を経由して携帯端末２００へ送信する。ここで送信される表示状態により、携帯端末２００は、表示装置１８０に表示されているアプリケーションの属性と表示条件を知ることができる。一例として、携帯端末２００は、車載端末１００のアプリケーションが、停止中専用の『走行中表示のできない』画面内容で表示されている、というような情報がわかる。
【００５２】
また、出力指示送信部１４０は、出力制御部１３０から受信した、携帯端末２００の映像及び音声に関する出力指示を、通信部１９０を経由して携帯端末２００へ送信する。
車載端末１００の通信部１９０及び携帯端末２００の通信部２９０は、相互に通信できるように接続されている。すなわち、車載端末１００の通信部１９０と携帯端末２００の通信部２９０は、車載端末１００の通信部１９０から主にデータが送信されるため、例えば、ＩＥＥＥ８０２．１１ｂ規格などを用いた無線接続または有線接続が用いられる。
【００５３】
また、携帯端末２００の通信部２９０からは、データだけではなく映像信号も送信されるため、その際は別途映像専用のＨＤＭＩ（High Definition Multimedia Interface；デジタル情報入出力インタフェース規格）（登録商標）等の有線接続または無線接続を用いてもよい。また、映像信号は、動画像の信号だけでなく、ＪＰＥＧ（Joint Photographic Experts Group：静止画像のデータ圧縮方式）ファイルなどの静止画による映像信号であってもよい。
【００５４】
次に、図１に示す携帯端末２００（請求項１の外部端末）について説明する。図１に示す携帯端末（外部端末）２００は、携帯電話、スマートフォン、携帯情報端末、音楽や映像などのメディアプレーヤ、携帯ナビゲーション装置、ノート型のパーソナルコンピュータなどである。この携帯端末２００は、アプリ実行部２１０（請求項１の第１アプリ実行部）と、アプリ選択制御部２２０（請求項１の第１アプリ選択制御部）と、出力指示受信部２４０と、表示装置２８０と、スピーカ２８５と、出力制御部２３０（請求項１の第１出力制御部）と、通信部２９０と、走行状態受信部２６０と、表示状態受信部２７０とを備える。
【００５５】
なお、アプリ実行部（第１アプリ実行部）２１０、アプリ選択制御部（第１アプリ選択制御部）２２０、及び出力制御部（第１出力制御部）２３０は、例えば、ＣＰＵ、ＲＯＭ及びＲＡＭによって実現される。ＣＰＵは、ＲＯＭに格納されたコンピュータプログラムを、ＲＡＭを作業領域として使いながら実行する。また、アプリ実行部２１０、アプリ選択制御部２２０、及び出力制御部２３０は、同一のＣＰＵ上で動作してもよい。
【００５６】
携帯端末（外部端末）２００における出力指示受信部２４０は、車載端末（情報表示処理装置）１００の出力指示送信部１４０が送信する携帯端末２００の映像及び音声に関する出力指示を、通信部２９０を経由して受信し、出力制御部２３０へ入力する。携帯端末２００における走行状態受信部２６０及び表示状態受信部２７０は、車載端末１００の走行状態送信部１６０及び表示状態送信部１７０がそれぞれ送信する車両の走行状態、及び出力中のアプリケーションの属性と表示条件を、通信部２９０を経由して受信し、何れもアプリ選択制御部（第１アプリ選択制御部）２２０へ入力する。
【００５７】
携帯端末２００におけるアプリ実行部（第１アプリ実行部）２１０はアプリケーションを提供する。アプリ実行部２１０が提供するアプリケーションの一例としては、ナビゲーション（ナビ）２１１、ビデオ再生２１２、音楽再生２１３などがあるが、アプリケーションの種類はこれらに限定されない。またアプリケーションは、アプリケーションソフトウェアとしてアプリ実行部２１０の単一のＣＰＵ上で動作してもよい。アプリ実行部１１０で実行されるアプリケーションの映像出力及び音声出力は、出力制御部２３０に入力される。
【００５８】
携帯端末２００におけるアプリ選択制御部２２０は、走行状態受信部２６０が受信する車両の走行状態、及び表示状態受信部２７０が受信する出力中のアプリケーションの属性と表示条件に応じ、アプリ実行部２１０で実行するアプリケーション及びその状態を制御する。また、携帯端末２００のアプリ選択制御部２２０は、車載端末１００のアプリ選択制御部１２０と同様に、アプリ実行部２１０で実行中のアプリケーションの種類と表示条件とを管理する。さらに、アプリ選択制御部２２０は、走行状態受信部２６０が受信する車両の走行状態、及び表示状態受信部２７０が受信する出力中のアプリケーションの属性と表示条件に基づいて、実行中のアプリケーションの表示出力を変更するか、または他のアプリケーションに実行を切り替えるようにアプリケーションの選択制御を行う。このアプリ選択制御部２２０は、実行中のアプリケーションの種類と表示条件を出力制御部２３０へ入力する。
【００５９】
次に、携帯端末２００のアプリ選択制御部２２０が行う処理について、図５に示すフローチャートを用いて詳細に説明する。なお、図５は、本発明の一実施の形態における携帯端末２００のアプリ選択制御部２２０が行う処理の流れを示すフローチャートである。図５において、携帯端末２００のアプリ選択制御部２２０は、表示状態受信部２７０が受信する出力中のアプリケーションの属性及び表示条件と、走行状態受信部２６０が出力する走行状態と、前回取得したアプリケーションの属性及び表示条件、並びに走行状態とについて、前回の各データと比較する（ステップＳ５１０）。比較結果において、表示条件または走行状態の何れかが変化していれば（ステップＳ５１０でＹｅｓ）、アプリ選択制御部２２０は、アプリ実行部２１０で実行されるアプリケーションまたはその表示条件を変更する（ステップＳ５２０）。
【００６０】
すなわち、ステップＳ５２０では、前述の図４を用いて説明した車載端末１００のアプリ選択制御部１２０と同様に、もし走行状態ごとにアプリケーションが設定されている場合は、携帯端末２００のアプリ選択制御部２２０は、設定されているアプリケーションに実行を切り替えるようにアプリ実行部２１０に指示する。一方、走行状態ごとにアプリケーションが設定されていない場合は、アプリ選択制御部２２０は、実行中のアプリケーションの表示条件を変更するようアプリ実行部２１０に指示する。さらに、アプリ選択制御部２２０は、変更後のアプリケーションの種類とその表示条件を出力制御部２３０へ出力する（ステップＳ５３０）。アプリ選択制御部２２０は、このような操作を終了指示があるまで繰り返す（ステップＳ５４０）。
【００６１】
図５のステップＳ５２０におけるアプリケーションまたはその表示条件の変更について、図５中のステップＳ５２５を用いて詳細に説明する。アプリ選択制御部２２０は、表示状態受信部２７０で受信した車載端末１００で表示中のアプリケーションの属性と、走行状態受信部２６０で受信した車両の走行状態とに基づいて、携帯端末２００で実行するアプリケーションの表示条件を決定する。車両が走行中のときは、表示中のアプリケーションの属性によらず、アプリ選択制御部２２０は、携帯端末２００のアプリケーションを走行表示可の条件で実行させる。これにより、利用者が手動でアプリケーションの表示を車載端末１００のアプリケーションから携帯端末２００のアプリケーションに切り替えても、そのまま表示が可能となる。
【００６２】
一方、車両が停止中のときは、表示中のアプリケーションが携帯端末２００のアプリケーションの場合は、アプリ選択制御部２２０は、携帯端末２００のアプリケーションの表示条件は走行表示不可として詳細表示を行う。しかし、表示中のアプリケーションが車載端末１００のアプリケーションの場合、車両が停止中から走行中に移行するに伴って携帯端末２００のアプリケーションに切り替える可能性があるため、アプリ選択制御部２２０は、その準備として携帯端末２００のアプリケーションの表示条件を「走行表示可」とする（ステップＳ５２５の太枠５５０参照）。これにより、停止中から走行中に移行するのに伴って携帯端末２００のアプリケーションに表示が切り替わった際には、アプリ選択制御部２２０は、「走行表示可」の画面でそのまま速やかに表示させることができる。
【００６３】
次に、携帯端末２００の出力制御部（第１の出力制御部）２３０は、出力指示受信部２４０が出力する、携帯端末２００の映像及び音声に関する出力指示に基づいて、アプリ実行部２１０で実行されるアプリケーションの映像出力及び音声出力と、アプリ選択制御部２２０が出力する、アプリ実行部２１０で実行されるアプリケーションの種類と表示条件とを、通信部２９０を経由して車載端末１００へ送信する。
【００６４】
出力指示受信部２４０の出力指示が、映像及び音声の出力を指示している場合は、出力制御部２３０は、アプリケーションの映像出力と音声出力を、指示にしたがって通信部２９０を経由して車載端末１００へ送信する。なお、映像のフレームレートや音声の音量など出力の方法に指示がある場合はそれにしたがう。一方、出力指示が、映像、及び音声の出力停止を指示している場合は、出力制御部２３０は、アプリケーションの映像出力と音声出力を指示にしたがって停止する。また、出力制御部２３０は、アプリ実行部２１０で実行されるアプリケーションの映像出力及び音声出力から、映像信号を表示装置２８０へ出力し、音声信号をスピーカ２８５へ出力する、というようにすることもできる。
【００６５】
表示装置２８０は、携帯端末２００に接続された液晶ディスプレイなどであり、出力制御部２３０が出力する映像信号に応じた映像を表示する。スピーカ２８５は、出力制御部２３０が出力する音声信号に応じた音声を再生する。
【００６６】
図９は、本発明の一実施の形態における情報表示処理システムの動作の一例を説明する図である。したがって、図９を用いて本発明の一実施の形態に係る情報表示処理システムの全体の動作を説明する。図９では、時間が図の左から右に向けて経過しており、車載端末１００の走行状態判定部１５０が判定した走行状態９２０が、時間の経過にしたがって「停止中」「走行中」「停止中」と推移することを表している。
【００６７】
矢印９２１及び矢印９２２は、走行状態が伝達されることを表し、走行状態判定部１５０から、矢印９２１によりアプリ選択制御部１２０へ、矢印９２２により出力制御部１３０へ伝達されていることを示している。走行状態９２０の時間経過による変化により、車載端末１００で実行されているビデオ再生アプリケーション９１０は「映像」「タイトル」「映像」と切り替えられる。
【００６８】
一方、出力制御部１３０で出力するアプリケーションの属性９３０は、出力制御部１３０が出力するアプリを選択した結果（図６のステップＳ６２０参照）、「車載」「携帯」「車載」と切り替えられる。また、出力制御部１３０は、携帯端末２００への出力指示を判断した結果（図６のステップＳ６３０参照）、出力指示９４０を、表示状態（表示するアプリケーションの属性と表示条件）と走行状態とともに、携帯端末２００へ送信する。
【００６９】
矢印９４１で示す出力指示は、表示状態が車載アプリケーションの属性で表示条件が走行表示不可の詳細表示であり、走行状態が停止中であって、携帯端末２００への出力指示が低レート出力である例を示している。この出力指示を受信した携帯端末２００のアプリケーション（ナビゲーションアプリケーション）は、携帯端末２００のアプリ選択制御部２２０により、走行状態が停止中で車載アプリケーションを表示中であることから、表示条件が走行表示可の簡略表示を行い（９５０）、出力指示により低いフレームレート（例：1フレーム／秒）での出力を行う（矢印９４２）。
【００７０】
このことにより、車載端末１００のアプリケーションが表示中でも、並行して携帯端末２００のアプリケーションを走行表示可の状態で、低フレームレートにて出力させられるため、次に走行状態が走行中に変わる（矢印９２３）。そのため、携帯端末２００のアプリケーションに表示を切り替えることになっても、出力されていた低フレームレート出力を即時に表示できるとともに、通常フレームレート出力の出力指示（矢印９４３）により、通常フレームレート出力（矢印９４４）で携帯端末２００のアプリケーションの出力を得ることができる。
【００７１】
矢印９２３で示す走行状態の変化により表示を携帯端末２００のアプリケーションに切り替える際に、それまで表示していた「ビデオ再生」アプリケーションを走行状態「停止中」に対応する表示優先度の最上位に登録することにより、次に走行状態が停止中に変わることを伝える矢印９２４により、車載端末１００の出力制御部１３０は、走行状態「停止中」に対応する表示優先度設定を参照して、最上位にある「ビデオ再生」アプリケーションに切り替えるため、出力を車載端末１００のアプリケーションに切り替える。このとき、携帯端末２００への出力指示（矢印９４５）は、矢印９４１と同内容となり、携帯端末２００のアプリケーションは、次に走行中に切り替わるときの準備として低レート出力に切り替わる（矢印９４６）。
【００７２】
次に、本発明の一実施の形態に係る情報表示処理システムの優位性を示すために、比較例として、本実施の形態を適用しない一般的な情報表示処理システムの動作について、図１０を参照しながら説明する。図１０は、比較例として本実施の形態を適用しない一般的な情報表示処理システムの動作の一例を説明する図である。一般的な情報表示処理システムは、先行技術として引用した特許文献１の情報表示処理システムであり、車載端末の走行状態を用いて携帯端末の表示を変更するしくみを有していない。
【００７３】
図１０に示すように、この情報表示処理システムでは、車両が走行中であっても、車載端末が走行表示不可であるビデオ再生１０１０を行い、携帯端末が走行表示可であるナビゲーションの簡略表示１０５０を行っている状態を示している。走行状態１０２０は、図９と同様に、時間の経過とともに「停止中」、「走行中」、「停止中」と変化している。車載端末は、携帯端末に非特許文献１の技術を用いる場合、停止中の走行状態１０２１により車載端末のアプリケーションを表示した後、走行中の走行状態１０２２に基づいて携帯端末のアプリケーションの表示を行うため、携帯端末に対し出力指示（矢印１０４１）を送信して、表示出力（矢印１０４２）を得る。
【００７４】
また、走行中は車載端末のアプリケーション（ビデオ再生）を表示することができないため、走行状態が走行中になってから携帯端末のアプリケーションの出力を得るまでの間は無表示１０３１となり、表示装置の表示が短時間で２度切り替わることになって、利用者に無用の注意を払わせることになる。つまり、情報表示処理システムの使い勝手が悪くなる。一方、本実施の形態の情報表示処理システムを適用することにより、図９に示すように、無表示区間がなく表示を切り替えることで、表示の乱れを利用者に感じさせることなく表示することが可能となる。
【００７５】
以上説明したように、本実施の形態の情報表示処理システムによれば、携帯端末２００のアプリ選択制御部２２０が、走行状態受信部２６０が受信する車両の走行状態、及び車載端末１００の表示装置１８０に出力中のアプリケーションの属性と表示条件とに基づいて、出力中のアプリケーションの属性が車載端末１００のアプリケーションのとき、走行状態とは異なる表示条件で実行中のアプリケーションの表示出力を変更するように携帯端末２００のアプリケーションの選択制御を行っている。これにより、走行状態が変化して携帯端末２００のアプリケーションに表示が切り替えられる際に、アプリ選択制御部２２０は、走行状態に合った表示条件で表示内容を遅延なく切り替えることができる。
【００７６】
また、車載端末１００の出力制御部１３０が、車載端末１００で実行中のアプリケーションの種類と表示条件、携帯端末２００で実行中のアプリケーションの種類と表示条件、及び走行状態判定部１５０で判定した車両の走行状態に基づいて、車載端末１００のアプリケーションの表示を行う際に、携帯端末２００に対して該携帯端末２００のアプリケーションの出力を指示している。これにより、走行状態が変化して携帯端末２００のアプリケーションに表示が切り替えられる際に、アプリ選択制御部２２０は、受信済みまたは受信中の出力を用いて表示を遅延なく切り替えることができる。
【産業上の利用可能性】
【００７７】
本発明による情報表示処理システムは、携帯電話やスマートフォンなどの外部端末を接続し、車載端末の映像信号と切り替えて映像を表示する車載情報の表示処理システムなどに有効に利用することができる。
【符号の説明】
【００７８】
１００  車載端末（情報表示処理装置）
１１０  アプリ実行部（第２アプリ実行部）
１１１  ナビ（ナビゲーションアプリケーション）
１１２  ビデオ再生（ビデオ再生アプリケーション）
１１３  音楽再生（音楽再生アプリケーション）
１２０  アプリ選択制御部
１３０  出力制御部
１４０  出力指示送信部
１５０  走行状態判定部
１６０  走行状態送信部
１７０  表示状態送信部
１８０  表示装置
１８５  スピーカ
１９０  通信部
２００  携帯端末（外部端末）
２１０  アプリ実行部
２１１  ナビ（ナビゲーションアプリケーション）
２１２  ビデオ再生（ビデオ再生アプリケーション）
２１３  音楽再生（音楽再生アプリケーション）
２２０  アプリ選択制御部
２３０  出力制御部
２４０  出力指示受信部
２６０  走行状態受信部
２７０  表示状態受信部
２８０  表示装置
２８５  スピーカ
２９０  通信部
３００  車両状態検出装置
【図１】
0005884082.tif 000003
【図２】
0005884082.tif 000004
【図３】
0005884082.tif 000005
【図４】
0005884082.tif 000006
【図５】
0005884082.tif 000007
【図６】
0005884082.tif 000008
【図７】
0005884082.tif 000009
【図８】
0005884082.tif 000010
【図９】
0005884082.tif 000011
【図１０】
0005884082.tif 000012